(57)【要約】【課題】廃棄物を圧縮固化するスクリュー軸に曲げやねじれを生じず、圧縮固化される廃棄物を減容盤面に均一に加圧して、減容固化能力を増大することができるとともに、メンテナンスが容易で、軽量化や小型化が可能な廃棄物減容固化装置を提供する。【解決手段】ホッパー、圧縮室及び減容盤を有する装置本体内に、廃棄物を圧縮するスクリュー軸を縦方向に配置した縦型廃棄物減容固化装置において、スクリュー軸を主軸支持部、主軸及び回転刃を設けた外筒により構成するとともに、装置内で装置本体とは別に自立可能に保持させて装置を構成する。【選択図】　　　図２
2004033879.tif 000002
【特許請求の範囲】
【請求項１】
ホッパー、圧縮室及び減容盤を有する装置本体内に、廃棄物を圧縮するスクリュー軸を縦方向に配置した縦型廃棄物減容固化装置において、スクリュー軸を主軸支持部、主軸及び回転刃を設けた外筒により構成するとともに装置内で装置本体とは別に自立可能に保持させたことを特徴とする縦型廃棄物減容固化装置。
【請求項２】
回転刃を有する外筒を複数の組立て分解可能な部材により構成したことを特徴とする請求項１に記載の縦型廃棄物減容固化装置。
【請求項３】
外筒に設けた回転刃の外径がホッパー部において装置内部に向かって縮径するものであることを特徴とする請求項１又は２に記載の縦型廃棄物減容固化装置。
【請求項４】
装置本体のホッパー、圧縮室及び減容盤を組立て分解可能に構成したことを特徴とする請求項１〜３のいずれかに記載の縦型廃棄物減容固化装置。
【請求項５】
減容盤によりスクリュー軸の主軸を保持したことを特徴とする請求項１〜４のいずれかに記載の縦型廃棄物減容固化装置。
【発明の詳細な説明】
【０００１】
【発明の属する技術分野】
本発明は、一般家庭から出るゴミ、事業所から出る紙くず、工場等から出る廃プラスチック、木くず、繊維くず等を減容固化し、固形燃料等として再利用するための減容固化装置に関する。
【０００２】
【従来の技術】
廃棄物のリサイクル化は多方面で進められており、一般家庭から出るゴミ、事業所から出る紙くず、工場等から出る廃プラスチック、木くず、繊維くず等を減容固化し、固形燃料等として再利用するための減容固化装置も種々提案されている。
従来の減容固化装置としては、（１）廃棄物を圧縮固化するスクリュー軸を装置内で横方向に配置し、スクリュー軸の一端側のみで回転可能に支持する片持ち支持タイプのものや、（２）横方向に配置したスクリュー軸の一端側を回転駆動系に連結し、他端側（先端側）を軸受で回転可能に支持したものが知られている。（例えば、特開２００１−３００９３７号公報、特開平１０−２６４１５５号公報、特開平９−２５４１５４号公報）
【０００３】
しかしながら、これら従来の横軸型の減容固化装置では、装置内に投入された廃棄物が重力の影響を受けるために、圧縮後減容固化される減容盤（押出しダイス）面に均一に加圧されないという欠点がある。
また、スクリュー軸を一端で支持する片持ち支持タイプのものでは、スクリュー軸の自重により曲げ応力が発生するとともにスクリュー軸にねじれが生じる。一方、スクリュー軸先端を軸受け支持したものでは、先端部分が最大の圧力を受ける部分となるために、滞留した廃棄物が異常に加熱され装置の運転に支障が生じる等の問題点がある。
さらに、これらの横軸型の減容固化装置では、装置のメンテナンスの際に、重量のあるスクリュー軸や圧縮室の内周ブロックを横方向に脱着するために、広いスペースを必要とし作業に時間がかかるという難点がある。
【０００４】
【発明が解決しようとする課題】
本発明はこれら従来技術の問題点を解消し、廃棄物を圧縮固化するスクリュー軸に生じる曲げやねじれ作用を減少させ、圧縮固化される廃棄物を減容盤面に均一に加圧できるとともに、メンテナンスが容易であり、また軽量化や小型化が可能な廃棄物減容固化装置を提供することを目的とする。
【０００５】
【課題を解決するための手段】
本発明者等は鋭意検討した結果、廃棄物を圧縮固化するスクリュー軸を装置内で縦方向に自立可能に保持させることにより、上記課題が解決されることを見出し、本発明を完成させたものである。
すなわち、本発明はつぎのような構成をとるものである。
１．ホッパー、圧縮室及び減容盤を有する装置本体内に、廃棄物を圧縮するスクリュー軸を縦方向に配置した縦型廃棄物減容固化装置において、スクリュー軸を主軸支持部、主軸及び回転刃を設けた外筒により構成するとともに装置内で装置本体とは別に自立可能に保持させたことを特徴とする縦型廃棄物減容固化装置。２．回転刃を有する外筒を複数の組立て分解可能な部材により構成したことを特徴とする１に記載の縦型廃棄物減容固化装置。
３．外筒に設けた回転刃の外径がホッパー部において装置内部に向かって縮径するものであることを特徴とする１又は２に記載の縦型廃棄物減容固化装置。
４．装置本体のホッパー、圧縮室及び減容盤を組立て分解可能に構成したことを特徴とする１〜３のいずれかに記載の縦型廃棄物減容固化装置。
５．減容盤によりスクリュー軸の主軸を保持したことを特徴とする１〜４のいずれかに記載の縦型廃棄物減容固化装置。
【０００６】
【発明の実施の形態】
つぎに、図に基づいて本発明の実施の形態について詳細に説明するが、以下の具体例は本発明を限定するものではない。
図１〜図４は本発明の縦型廃棄物減容固化装置の１例を示す図であり、図１は装置の外観図、図２は装置の模式断面図、図３はスクリュー軸の模式図、そして図４は減容盤の模式図で（Ａ）は平面図、（Ｂ）は側面断面図である。
【０００７】
この廃棄物減容固化装置１は、上部に廃棄物の投入口（図示せず）を有する漏斗状のホッパー２、圧縮室３を構成する円筒状の圧縮室外筒４、圧縮された廃棄物を減容固化する減容盤５及びこれらの部材を自立支持する壁面７により装置本体を形成し、その内部に廃棄物を圧縮するスクリュー軸１１を縦方向に、装置本体とは別に自立可能に保持したものである。なお、壁面７に代えて、柱を使用して装置を構成する各部材を自立支持する構成としてもよい。
【０００８】
廃棄物を圧縮するスクリュー軸１１は、ベアリング１２等により回動可能とされた主軸支持部１３、主軸１４及び主軸に着脱可能に外挿する回転刃１５、１６を有する外筒１７、１８により組立て分解可能に構成されている。（図３参照）この例では、主軸に外挿する外筒を、圧縮室３内に配置される等径の回転刃１５を有する外筒１７、及びホッパー２内に配置される装置内部に向かって縮径する回転刃１６を有する外筒１８からなる２つの部材により構成したが、外筒１７又は１８をそれぞれ分割して複数の部材により構成してもよく、また外筒１７及び１８を一体に構成してもよい。
【０００９】
外筒１７の下方の主軸１４の縮径部１９には、圧縮された廃棄部を減容固化する減容盤５が配置され主軸１４を回動可能に保持している。
この減容盤５は、中央部に主軸１４を挿通する軸孔２１を有する本体２２及び本体２２に着脱可能に固定された摩耗板２３により構成され、軸孔２１の周囲には圧縮された廃棄物を減容固化する減容孔２４が設けられている。また、本体２２の下側には、減容孔２４から棒状に押出される減容固化された廃棄物を所定の寸法にカットするスキトリ板２５が回転可能に設置されている。減容盤５を構成するこれらの部材が損耗した場合には、該部材のみを交換すればよいので、メンテナンスのコストを低下させることができる。
【００１０】
減容盤５の下部に形成する廃棄物排出部６内には、壁面７に設けた廃棄物排出口９に連通する固化された廃棄物の収納部８が設けられ、カットされた廃棄物を装置外に排出する。また、収納部８の下部にはスクリュー軸１１の動力駆動部１０が配置されている。
この例では、廃棄物排出部６の外壁及び圧縮室外筒４の周囲を、一体の壁面７で覆うように構成したが、壁面７を廃棄物排出部６及び減容盤５のみを覆う寸法とし、圧縮室外筒４を覆わずに露出させた構成としてもよい。
また、小型の装置においては、スクリュー軸１１の動力駆動部１０をホッパー２の上方に配置するようにしてもよい。
【００１１】
この縦型廃棄物減容固化装置１では、廃棄物を圧縮するスクリュー軸１１を装置内で縦軸方向に配置したことによって、従来の横軸型装置のように廃棄が重力による影響を受けず、減容盤面に均一に加圧されるので、廃棄物の減容固化能力を増大することができる。また、スクリュー軸１１の自重による曲がりや横方向片持ちによるねじれを防止し、駆動源による駆動エネルギーを効率よくスクリュー軸に伝達し、廃棄物の減容固化を促進することができる。
【００１２】
また、この装置では、装置本体を構成するホッパー２、圧縮室外筒４及び減容盤５をそれぞれ別部材で形成し、ボルト、ナット等により固定して組立て分解可能としてある。
さらに、廃棄物を圧縮するスクリュー軸１１を複数の部材によって組立て分解可能に構成するとともに、装置内に縦方向に配置し、装置本体とは別に自立可能に保持している。
【００１３】
したがって、装置１のメンテナンス作業にあたっては、装置本体を構成するホッパー２及び圧縮室外筒４をそれぞれ分解し、部分的に補修作業を行うことができる。
また、スクリュー軸１１を構成する部材を、装置本体とは独立に分割して縦軸方向に取出して補修作業を行うことができるので、従来の横軸型減容固化装置のように広いスペースを必要とせず、簡単に作業を行うことができるとともに、スクリュー軸の損傷した部分のみを交換できるのでメンテナンスに伴うコストを大幅に削減することができる。さらに、装置の軽量化や小型化を容易に行なうことができる。
本発明の廃棄物減容固化装置の形状や寸法には特に制限はなく、廃棄物の種類や装置を設置する場所等に応じて任意に選定することができる。
【図面の簡単な説明】
【図１】本発明の縦型廃棄物減容固化装置の１例を示す外観図である。
【図２】図１の装置の模式断面図である。
【図３】図１の装置におけるスクリュー軸の模式図である。
【図４】図１の装置における減容盤の模式図である。
【符号の説明】
１　　　　　廃棄物減容固化装置
２　　　　　ホッパー
３　　　　　圧縮室
４　　　　　圧縮外筒
５　　　　　減容盤
６　　　　　廃棄物排出部
７　　　　　壁面
８　　　　　廃棄物収納部
９　　　　　廃棄物排出口
１０　　　　動力駆動部
１１　　　　スクリュー軸
１２　　　　ベアリング
１３　　　　主軸支持部
１４　　　　主軸
１５、１６　回転刃
１７、１８　外筒
１９　　　　縮径部
２１　　　　軸孔
２２　　　　減容盤本体
２３　　　　摩耗板
２４　　　　減容孔
２５　　　　スキトリ板
【図１】
2004033879.tif 000003
【図２】
2004033879.tif 000004
【図３】
2004033879.tif 000005
【図４】
2004033879.tif 000006